(57)【要約】【課題】新規なステントを提供する。【解決手段】人間の脳内の動脈瘤を閉塞または部分的に閉塞する非常に小径の血管内ステントまたは動脈瘤カバーを開示する。ステントは薄肉の骨組的な管状部材を備える。骨組的な管状部材は、骨組的な管状部材の途中にセルの繰り返しパターンを形成する複数の相互に連結された正弦波部から形成されている。ステントはさらに停留部材を有しており、停留部材は長尺の脚部と脚部の周囲に配置されたＸ線不透過性のコイルを有しており、ステントの配備の間にステントを保持する役割を果たす。【選択図】        図１
2004154536.tif 000002
【特許請求の範囲】
【請求項１】
薄い壁と長手方向軸線を有する小径の骨組的な管状部材を備え、
前記骨組的な管状部材の前記壁は、複数の相互に連結された正弦波部から形成された複数のセルを有し、
前記複数の正弦波部は前記骨組的な管状部材の前記長手方向軸線にほぼ平行であり、かつ互いにほぼ平行であり、前記複数の正弦波部の各々は複数の正のピークと複数の負のピークを有しており、
前記正弦波部の正のピークは隣接する正弦波部の負のピークに連結されて、前記骨組的な管状部材の途中にセルの繰り返しパターンを形成することを特徴とする自己膨張式ステント。
【請求項２】
先端部と基端部と薄い壁と長手方向軸線を有する小径の骨組的な管状部材を備え、
前記骨組的な管状部材の前記壁は、複数の相互に連結された正弦波部から形成された複数のセルを有し、
前記複数の正弦波部は前記骨組的な管状部材の前記長手方向軸線にほぼ平行であり、かつ互いにほぼ平行であり、前記複数の正弦波部の各々は複数の正のピークと複数の負のピークを有しており、
前記正弦波部の正のピークは隣接する正弦波部の負のピークに連結されて、前記骨組的な管状部材の途中にセルの繰り返しパターンを形成し、
前記骨組的な管状部材の前記先端部および前記基端部の両方には、複数の前記正弦波部の正のピークが隣接する複数の正弦波部の負のピークに連結された複数の接合点が形成されており、
前記先端部にある前記接合点のいずれかから前記骨組的な管状部材の前記長手方向軸線に平行に四つの長尺の脚部が延びており、
前記基端部にある前記接合点のいずれかから前記骨組的な管状部材の前記長手方向軸線に平行に二つ以上の長尺の脚部が延びており、
前記長尺の脚部の各々の周囲には螺旋状に巻かれたコイルが配置されていることを特徴とする自己膨張式ステント。
【請求項３】
薄い壁と長手方向軸線を有する小径の骨組的な管状部材を備え、
前記骨組的な管状部材の前記壁は、複数の相互に連結された正弦波部から形成された複数のセルを有し、
前記複数の正弦波部は前記骨組的な管状部材の前記長手方向軸線にほぼ平行であり、かつ互いにほぼ平行であり、前記複数の正弦波部の各々は複数の正のピークと複数の負のピークを有しており、
前記正弦波部の正のピークは隣接する正弦波部の負のピークに連結されて、前記骨組的な管状部材の途中にセルの繰り返しパターンを形成することを特徴とする動脈瘤カバー。
【請求項４】
先端部と基端部と薄い壁と長手方向軸線を有する小径の骨組的な管状部材を備え、
前記骨組的な管状部材の前記壁は、複数の相互に連結された正弦波部から形成された複数のセルを有し、
前記複数の正弦波部は前記骨組的な管状部材の前記長手方向軸線にほぼ平行であり、かつ互いにほぼ平行であり、前記複数の正弦波部の各々は複数の正のピークと複数の負のピークを有しており、
前記正弦波部の正のピークは隣接する正弦波部の負のピークに連結されて、前記骨組的な管状部材の途中にセルの繰り返しパターンを形成し、
前記骨組的な管状部材の前記先端部および前記基端部の両方には、複数の前記正弦波部の正のピークが隣接する複数の正弦波部の負のピークに連結された複数の接合点が形成されており、
前記先端部にある前記接合点のいずれかから前記骨組的な管状部材の前記長手方向軸線に平行に四つの長尺の脚部が延びており、
前記基端部にある前記接合点のいずれかから前記骨組的な管状部材の前記長手方向軸線に平行に二つ以上の長尺の脚部が延びており、
前記長尺の脚部の各々の周囲には螺旋状に巻かれたコイルが配置されていることを特徴とする動脈瘤カバー。
【発明の詳細な説明】
【技術分野】
【０００１】
本発明は、身体の血管内に埋め込まれる血管内器具に係り、さらに詳しくは血管内の疾患の治療に使用されうるステント器具に関する。さらに詳しくは、このステント器具は脳内に発生する動脈瘤の治療に使用されるべき動脈瘤カバーの形態をとりうる。
【背景技術】
【０００２】
病変または狭窄による血管の閉塞または詰まりや狭まりを含む血管の疾患を治療するために、世界中で一年間におよそ百万のバルーン血管形成手術が施されている。この手術の目的は、血液が流れる血管路つまり管腔の内径つまり断面積を拡大することにある。他の深刻な血管の疾患としては、血管から半径方向に突出する隆起や泡状体を引き起こす血管の脆弱化がある。この種の疾患は動脈瘤と呼ばれる。動脈瘤は、治療しなければ膨張し続けて破裂し、血管からの大出血を起こしてしまう。
【０００３】
外科手術を伴うことなく再狭窄を防止したり動脈瘤を治療したりするための方策として、血流を維持または改善するために血管内に金属またはポリマー製の短い柔軟な円筒つまりスキャフォールド（ｓｃａｆｆｏｌｄ）を挿入することがよくある。これらの器具は、ステントと呼ばれ、病変した血管の補強もしくは閉塞した血管の開放のため、または動脈瘤のネックを覆って動脈瘤内の血圧を緩和する動脈瘤カバーとして広く使用されている。ステントの中にはバルーンカテーテルの膨張により適正サイズに膨張させられる「バルーン膨張式」ステントと呼ばれるものがある一方、自己膨張方式で弾性的に膨張するよう設計されたものもある。
【０００４】
バルーン膨張式ステントも自己膨張式ステントも小径に折り縮められて、カテーテルを用いた配置システムにより血管内に配置される。血管内の所望の箇所に配置されると、これらの器具はバルーンまたは自己膨張式で所望の直径に膨張させられる。動脈瘤カバーとして使用するには、ステントは血管内の動脈瘤の近辺で膨張させられ、動脈瘤のネック全体にわたる骨組的なカバーをなす。
【０００５】
腹部の大動脈瘤の治療のためのこのようなステントつまり動脈瘤カバーの一つが、¨ＳｔｅｎｔＷｈｉｃｈｉｓＥａｓｉｌｙＲｅｃａｐｔｕｒｅｄａｎｄＲｅｐｏｓｉｔｉｏｎｅｄＷｉｔｈｉｎｔｈｅＢｏｄｙ¨という名称の特許文献１に開示されている。特許文献１は、大動脈瘤の治療に使用できる自己膨張式ステントを開示する。この器具は配置の後に簡単に再回収して血管内の新規位置に再配置することができる。
【０００６】
Ｈｉｅｓｈｉｍａ等に付与された¨ＳｔｅｎｔＡｎｅｕｒｙｓｍＴｒｅａｔｍｅｎｔＳｙｓｔｅｍａｎｄＭｅｔｈｏｄ¨という名称の特許文献２には動脈瘤の治療のために使用される別のステント器具が開示されている。特許文献２は様々な形態の脈内ステントを開示し、これらのステントは血管の途中の様々な箇所にある動脈瘤を閉塞または部分的に閉塞するための動脈瘤カバーとして使用しうる。
【文献１】
米国特許明細書第６，２６７，７８３号
【文献２】
米国特許明細書第６，３６１，５５８号
【考案の開示】
【発明が解決しようとする課題】
【０００７】
本発明は、新規な自己膨張式ステントおよび動脈瘤カバーを提供する。
【課題を解決するための手段】
【０００８】
本発明の一つの態様によれば、薄い壁と長手方向軸線を有する小径の骨組的な管状部材を備えた自己膨張式ステントまたは動脈瘤カバーが提供される。前記骨組的な管状部材の前記壁は、複数の相互に連結された正弦波部から形成された複数のセルを有する。前記複数の正弦波部は前記骨組的な管状部材の前記長手方向軸線にほぼ平行であり、かつ互いにほぼ平行である。前記複数の正弦波部の各々は複数の正のピークと複数の負のピークを有する。前記正弦波部の正のピークは隣接する正弦波部の負のピークに連結されて、前記骨組的な管状部材の途中にセルの繰り返しパターンを形成する。
【０００９】
本発明の他の態様によれば、自己膨張式ステントまたは動脈瘤カバーは、前記骨組的な管状部材の前記先端部および前記基端部に形成された複数の接合点を有する。各接合点は、前記正弦波部の正のピークが隣接する正弦波部の負のピークに連結された箇所にある。好ましくは、骨組的な管状部材の先端部にある四つの前記接合点から長尺な脚部が延びており、骨組的な管状部材の基端部にある二つの前記接合点から長尺な脚部が延びている。長尺の脚部の各々は前記骨組的な管状部材の前記長手方向軸線に平行に延びている。前記長尺の脚部の各々の周囲には螺旋状に巻かれたコイルが配置されている。
【００１０】
本発明のさらに他の態様によれば、薄い壁と長手方向軸線を有する小径の骨組的な管状部材の形態を持つ自己膨張式ステントまたは動脈瘤カバーが提供される。前記骨組的な管状部材の前記壁は、複数の相互に連結された正弦波部から形成された複数のセルを有する。前記複数の正弦波部は前記骨組的な管状部材の前記長手方向軸線にほぼ平行であり、かつ互いにほぼ平行である。前記複数の正弦波部の各々は複数の正のピークと複数の負のピークを有する。ステントは、前記骨組的な管状部材の前記先端部および前記基端部に形成された複数の接合点を有する。各接合点は、前記正弦波部の正のピークが隣接する正弦波部の負のピークに直接連結された箇所にある。骨組的な管状部材の先端部にある四つの前記接合点から長尺な脚部が延びており、骨組的な管状部材の基端部にある二つの前記接合点から長尺な脚部が延びている。長尺の脚部の各々は前記骨組的な管状部材の前記長手方向軸線に平行に延びている。前記長尺の脚部の各々の周囲には螺旋状に巻かれたコイルが配置されており、これらのコイルはステントのＸ線不透過性の目印として働く。
【発明の効果】
【００１１】
本発明によれば、新規な自己膨張式ステントおよび動脈瘤カバーが提供される。
【発明を実施するための最良の形態】
【００１２】
図１は、膨張可能な血管内ステント（動脈瘤カバー）１０および配備システム１２を示す図である。配備システム１２は配備用カテーテル１４を有しており、配備用カテーテル１４は管腔１６を持つ長尺の管である。配備用カテーテル１４の管腔１６は０．０１０インチ〜０．２５インチ（０．２５４ｍｍ〜６．３５ｍｍ）の範囲の直径を有しており、好適な直径は約０．０２１インチ（０．５３３ｍｍ）である。好ましくは配備用カテーテル１４の基部１８は、約６０Ｄ〜約７５Ｄの範囲のジュロメータ硬さを持つナイロン材料から形成されている。配備用カテーテル１４の基部１８は、血管内を往復するのに十分な柔軟性を有するが、血管内を通過できるように十分に剛的である。配備用カテーテル１４の先端部２２は、好ましくは２５Ｄ〜５５Ｄのジュロメータ硬さを持つペレサン（ｐｅｌｌｅｔｈａｎ）材料から形成されており、好ましいジュロメータ硬さは４０Ｄである。
【００１３】
配備システム１２は、配備用カテーテル１４の基部１８に連結された張り出しハブ２４を有する。張り出しハブ２４はプラスチックで形成されており、血管内に配備用カテーテル１４を挿入することを容易にする。また、配備システム１２は長尺のコア部材２６を有する。コア部材２６は好ましくはニチノールで形成されたワイヤであるが、他の合金またはポリマー材料から形成してもよい。コア部材２６は、配備用カテーテル１４の管腔１６に摺動可能に挿入されている。コア部材２６は、自身の基部２８が先端部３０よりも大きな直径を持つように長い一つのテーパまたは複数のテーパを持っていてもよい。好ましくは、コア部材２６の基部２８の直径は約０．０１６インチ（０．４０６ｍｍ）であり、コア部材２６の先端部３０の直径は約０．００２（０．０５１ｍｍ）インチである。コア部材２６の基部２８が大きな直径を持っているので、コア部材２６は配備用カテーテル１４の内部を推し進めるのに十分な剛性を有しており、コア部材２６の先端部３０が小さな直径を持っているので、コア部材２６は狭い血管内を往復できるだけの柔軟性を有する。
【００１４】
配備システム１２はさらに基部側円柱部材３２を有する。基部側円柱部材３２はコア部材２６の先端部３０の周囲に配置されている。好ましくは、基部側円柱部材３２は螺旋状に巻かれた柔軟なコイルであり、その外径は約０．０１６インチ（０．４０６ｍｍ）である。このコイルはポリマー材料から形成してもよいが、好ましくは金属から形成されている。配備システム１２はさらに中間円柱部材３４を有する。中間円柱部材３４はコア部材２６の周囲に配置されており、基部側円柱部材３２よりも先端側に基部側円柱部材３２とは間隔をおいて配置されている。中間円柱部材３４は、円柱状のスリーブまたはコイルの形態を有しており、その外径は約０．０１２インチ（０．３０５ｍｍ）である。基部側円柱部材３２と中間円柱部材３４の間の間隔は第１の隙間３６をなす。第１の隙間３６の長さは、０．０１９インチ〜０．１９インチ（０．４８３ｍｍ〜４．８２６ｍｍ）であり、好ましくは０．０４０インチ（１．０１６ｍｍ）である。
【００１５】
配備システム１２はさらに先端円柱部材３８を有する。先端円柱部材３８はコア部材２６の周囲に配置されており、中間円柱部材３４よりも先端側に中間円柱部材３４とは間隔をおいて配置されている。先端円柱部材３８は、螺旋状に巻かれた柔軟なコイルの形態を有しており、その外径は約０．０１６インチ（０．４０６ｍｍ）である。このコイルはポリマー材料から形成してもよいが、好ましくは金属から形成されている。中間円柱部材３４と先端円柱部材３８の間の間隔は第２の隙間４０をなす。第２の隙間４０の長さは、０．０１９インチ〜０．１９インチ（０．４８３ｍｍ〜４．８２６ｍｍ）であり、好ましくは０．０４０インチ（１．０１６ｍｍ）である。
【００１６】
配備システム１２は、２００３年２月１２日に出願されて本特許出願と同じ譲受人に譲渡されている両方とも¨ＥｘｐａｎｄａｂｌｅＳｔｅｎｔａｎｄＤｅｌｉｖｅｒｙＳｙｓｔｅｍ¨という名称の米国特許出願第１０／３６５，２８８号および同第１０／３６５，２８２号にさらに詳しく記載されている。これらの出願の内容は言及したことにより本願の開示の一部をなす。
【００１７】
自己膨張式ステント１０は、中間円柱部材３４に取り付けられている。ステント１０は、ステント１０の基端部４８および先端部５０から延びる複数の長尺の脚部を有する。またステント１０は停留部材（ａｎｃｈｏｒｍｅｍｂｅｒｓ）５２ａ，５２ｂ，５２ｃ，５２ｄを有する。これらの停留部材は、Ｘ線不透過性コイルの形態であり、長尺の脚部４４ａ，４４ｂ，４６ｃ，４６ｄに固定されている。これらの停留部材は、ステント１０の長手方向軸線にほぼ平行に延びている。ステント１０は中間円柱部材３４に配置されて固定されており、ステント１０の基端部４８の停留部材５２ａ，５２ｂは、第１の隙間３６内に整合されて第１の隙間３６内に配置されている。同様に、ステント１０の先端部５０の停留部材５２ｃ，５２ｄは、第２の隙間４０内に整合されて第２の隙間４０内に配置されている。この構成において、ステント１０は定位置にロックされ、配備用カテーテル１４の内部を長手方向に進行可能になる。
【００１８】
図２は、ステント１０をさらに詳細に示す図である。ステント１０は薄肉のニチノール管からレーザ切断されて、骨組的な管状部材６０を形成する。管状部材６０の壁６２は、複数の開口つまりセル６４を有する。骨組的な管状部材６０を動脈瘤に配置すると、医者はセル６４を通じて動脈瘤に塞栓コイルまたは他の医療器具を配備することができる。管状部材６０は、例えば塞栓コイルのような体内に埋め込まれた医療器具を動脈瘤内に支持つまり保持する。また管状部材６０は、動脈瘤の口を覆う動脈瘤カバーとして機能して、動脈瘤に流入する血流を規制または部分的に規制する。
【００１９】
骨組的な管状部材６０の長さは、好ましくは０．０７９５インチ〜３．１５インチ（２．０１９ｍｍ〜８０．０１ｍｍ）である。膨張した状態では、骨組的な管状部材６０の外径は好ましくは最大で約０．４インチ（１０．１６ｍｍ）までになる。圧縮状態では、骨組的な管状部材６０は、配備用カテーテル１４の管腔１６内に収まるサイズになり、約０．０１２インチ（０．３０５ｍｍ）の程度の直径を持つ。
【００２０】
ステント１０の基端部４８からは二つの脚部４４ａ，４４ｂが延びている。脚部４４ａ，４４ｂはステント１０の長手方向軸線にほぼ平行に延びている。脚部４４ａ，４４ｂの周囲にはコイル５１ａ，５１ｂが配置されており、停留部材５２ａ，５２ｂを形成している。コイル５１ａ，５１ｂは螺旋状に巻かれたコイルであり、好ましくはＸ線不透過性から形成されている。コイル５１ａ，５１ｂは、ＵＶ硬化接着剤により熱硬化工程で脚部４４ａ，４４ｂに取り付けられている。コイル５１ａ，５１ｂの長さは約０．０１９インチ〜０．１９０インチ（０．４８３ｍｍ〜４．８２６ｍｍ）であり、好ましくは０．０４０インチ（１．０１６ｍｍ）である。
【００２１】
ステント１０の先端部５０からは四つの脚部４６ｃ，４６ｄ，４６ｅ，４６ｆが延びている。脚部４６ｃ，４６ｄ，４６ｅ，４６ｆはステント１０の長手方向軸線にほぼ平行に延びている。脚部４６ｃ，４６ｄ，４６ｅ，４６ｆの周囲にはコイル５１ｃ，５１ｄ，５１ｅ，５１ｆがそれぞれ配置されており、それぞれ停留部材５２ｃ，５２ｄ，５２ｅ，５２ｆを形成している。コイル５１ｃ，５１ｄ，５１ｅ，５１ｆも螺旋状に巻かれたコイルであり、好ましくはＸ線不透過性から形成されている。コイル５１ｃ，５１ｄ，５１ｅ，５１ｆも、ＵＶ硬化接着剤により熱硬化工程で脚部４６ｃ，４６ｄ，４６ｅ，４６ｆに取り付けられている。コイル５１ｃ，５１ｄ，５１ｅ，５１ｆの長さは約０．０１９インチ〜０．１９０インチ（０．４８３ｍｍ〜４．８２６ｍｍ）であり、好ましくは０．０４０インチ（１．０１６ｍｍ）である。
【００２２】
図３は、骨組的な管状部材６０の各々のセルのパターンを示す図である。図３は、ステント１０を長手方向の線に沿って切断し単一平面に展開した側面図である。例えば正弦波部７４のような多数の正弦波部が相互に連結されており、ステント１０のセルのパターンを形成する。正弦波部７４のような複数の正弦波部は、複数の正のピーク（例えば正のピーク７６）と複数の負のピーク（例えば負のピーク７８）を有する。これらの正弦波部は、ステント１０の長手方向軸線にほぼ平行であり、かつ互いにほぼ平行である。各正弦波部の正のピークは隣接する正弦波部の負のピークに直接連結されて連結点（例えば連結点８０）を形成する。
【００２３】
ステント１０は、ステント１０の先端部５０および基端部４８の両方に複数の接合点（例えば接合点８２）を有する。各接合点８２は先端部５０または基端部４８に沿った点であり、ここで正弦波部の正のピークは隣接する正弦波部の負のピークに直接連結されている。ステント１０は、先端部５０に八つの接合点、基端部４８に八つの接合点を有する。
【００２４】
またステント１０は脚部４４ａを有しており、脚部４４ａはステント１０の基端部４８にある八つの接合点の一つから延びる長手方向の突出部の形態を有する。またステント１０は脚部４４ｂを有しており、脚部４４ｂはステント１０の基端部４８にある八つの接合点の他の一つから延びる長手方向の突出部の形態を有する。先端側の脚部４６ｃ，４６ｄ，４６ｅ，４６ｆは、ステント１０の先端部５０にある接合点から延びる長手方向の突出部の形態を有する。脚部４４ａ，４４ｂ，４６ｃ，４６ｄ，４６ｅ，４６ｆの各々には、Ｘ線不透過性のコイル５１ａ，５１ｂ，５１ｃ，５１ｄ，５１ｅ，５１ｆが固定されて停留部材５２ａ，５２ｂ，５２ｃ，５２ｄ，５２ｅ，５２ｆを形成する。
【００２５】
本発明のステントは、例えばヘパリンまたはラパマイシンのような血管の再狭窄を防止する薬剤で被覆してもよい。このような被覆材は米国特許第５，２８８，７１１号、同第５，５１６，７８１号、同第５，５６３，１４６号および同第５，６４６，１６０号に開示されている。これらの特許の内容は言及したことにより本願の開示の一部をなす。
【００２６】
図４は血管９０内で完全に膨張されて動脈瘤９２のネックを完全に閉塞する動脈瘤カバーとして機能するた膨張可能ステント１０を示す図である。配備システム１２の配備用カテーテル１４は、基部側に後退させられており、このためにステント１０の基端部４８と先端部５０の両方の脚部４４ａ，４４ｂ，４６ｃ，４６ｄ，４６ｅ，４６ｆにある停留部材５２ａ，５２ｂ，５２ｃ，５２ｄ，５２ｅ，５２ｆは、第１の隙間３６と第２の隙間４０から脱出し、これによりステント１０は完全に膨張できる。第１の隙間３６は基部側円柱部材３２と中間円柱部材３４の間の間隔により形成されている。第２の隙間４０は中間円柱部材３４と先端円柱部材３８の間の間隔により形成されている。
【００２７】
理解すべきこととして、ステント１０は膨張工程の間に配備用カテーテル１４に再度挿入することができる。もし膨張工程の間にステント１０の基端部４８にある停留部材５２ａ，５２ｂをコア部材２６の先端部３０に連結したままにしておけば、ステント１０は配備用カテーテル１４に再度挿入して血管９０内の別の箇所にて膨張させることができる。ステント１０を配備用カテーテル１４に再挿入するには、配備用カテーテル１４を前進させ、ステント１０を中間円柱部材３４の周囲に強制的に戻し、ステント１０の先端部５０にある先端脚部４６ｃ，４６ｄ，４６ｅ，４６ｆに取り付けられた停留部材５２ｃ，５２ｄ，５２ｅ，５２ｆを第２の隙間４０内に結合するように強制する。一旦配備用カテーテル１４に元通りに収まったら、ステント１０は引き戻すことができ、血管９０内の他の箇所に再配置できる。
【００２８】
以上好ましい実施の形態を説明したが、添付の特許請求の範囲内で当業者は様々な修正を行うことができることを理解すべきである。
【００２９】
この発明の具体的な実施態様は次の通りである。
（１）前記骨組的な管状部材の先端部には、一つの前記正弦波部の正の一つのピークが隣接する一つの正弦波部の一つの負のピークに連結された一つの接合点が形成されており、前記接合点から前記骨組的な管状部材の前記長手方向軸線に平行に一つの長尺の脚部が延びており、前記長尺の脚部の周囲には螺旋状に巻かれたコイルが配置されていることを特徴とする請求項１に記載の自己膨張式ステント。
（２）前記骨組的な管状部材の先端部には、複数の前記正弦波部の正のピークが隣接する複数の正弦波部の負のピークに連結された複数の接合点が形成されており、前記接合点のいずれかから前記骨組的な管状部材の前記長手方向軸線に平行に二つの長尺の脚部が延びており、前記長尺の脚部の各々の周囲には螺旋状に巻かれたコイルが配置されていることを特徴とする請求項１に記載の自己膨張式ステント。
（３）前記骨組的な管状部材の先端部には、複数の前記正弦波部の正のピークが隣接する複数の正弦波部の負のピークに連結された複数の接合点が形成されており、前記接合点のいずれかから前記骨組的な管状部材の前記長手方向軸線に平行に四つの長尺の脚部が延びており、前記長尺の脚部の各々の周囲には螺旋状に巻かれたコイルが配置されていることを特徴とする請求項１に記載の自己膨張式ステント。
（４）前記螺旋状に巻かれたコイルの各々はＸ線不透過材料から形成されていることを特徴とする実施態様（３）に記載の自己膨張式ステント。
（５）前記骨組的な管状部材の基端部には、一つの前記正弦波部の正の一つのピークが隣接する一つの正弦波部の一つの負のピークに連結された一つの接合点が形成されており、前記接合点から前記骨組的な管状部材の前記長手方向軸線に平行に一つの長尺の脚部が延びており、前記長尺の脚部の周囲には螺旋状に巻かれたコイルが配置されていることを特徴とする請求項１に記載の自己膨張式ステント。
【００３０】
（６）前記骨組的な管状部材の基端部には、複数の前記正弦波部の正のピークが隣接する複数の正弦波部の負のピークに連結された複数の接合点が形成されており、前記接合点のいずれかから前記骨組的な管状部材の前記長手方向軸線に平行に二つの長尺の脚部が延びており、前記長尺の脚部の各々の周囲には螺旋状に巻かれたコイルが配置されていることを特徴とする請求項１に記載の自己膨張式ステント。
（７）前記螺旋状に巻かれたコイルの各々はＸ線不透過材料から形成されていることを特徴とする実施態様（６）に記載の自己膨張式ステント。
（８）前記骨組的な管状部材は先端部と基端部を有しており、前記骨組的な管状部材の前記先端部および前記基端部の両方には、複数の前記正弦波部の正のピークが隣接する複数の正弦波部の負のピークに連結された複数の接合点が形成されており、前記接合点のいずれかから前記骨組的な管状部材の前記長手方向軸線に平行に複数の長尺の脚部が延びており、前記長尺の脚部の各々の周囲には螺旋状に巻かれたコイルが配置されていることを特徴とする請求項１に記載の自己膨張式ステント。
（９）前記骨組的な管状部材は先端部と基端部を有しており、前記骨組的な管状部材の前記先端部および前記基端部の両方には、複数の前記正弦波部の正のピークが隣接する複数の正弦波部の負のピークに連結された複数の接合点が形成されており、前記先端部にある前記接合点のいずれかから前記骨組的な管状部材の前記長手方向軸線に平行に四つの長尺の脚部が延びており、前記基端部にある前記接合点のいずれかから前記骨組的な管状部材の前記長手方向軸線に平行に二つの長尺の脚部が延びており、前記長尺の脚部の各々の周囲には螺旋状に巻かれたコイルが配置されていることを特徴とする請求項１に記載の自己膨張式ステント。
（１０）前記螺旋状に巻かれたコイルの各々はＸ線不透過材料から形成されていることを特徴とする特徴とする実施態様（９）に記載の自己膨張式ステント。
【図面の簡単な説明】
【００３１】
【図１】ステント配置システム内に取り付けられた膨張可能な血管内ステントつまり動脈瘤カバーの拡大部分断面図である。
【図２】本発明の好適な実施の形態に従って製造された血管内ステントの斜視図である。
【図３】図２に示された血管内ステントを長手方向の線に沿って切断し単一平面に展開した側面図である。
【図４】血管内に配置された血管内ステントの拡大断面図である。
【符号の説明】
【００３２】
１０  血管内ステント（動脈瘤カバー）
１２  配備システム
１４  配備用カテーテル
１６  管腔
１８  基部
２２  先端部
２４  張り出しハブ
２６  コア部材
２８  基部
３０  先端部
３２  基部側円柱部材
３４  中間円柱部材
３６  第１の隙間
３８  先端円柱部材
４０  第２の隙間
４４ａ，４４ｂ，４６ｃ，４６ｄ，４６ｅ，４６ｆ  脚部
４８  基端部
５０  先端部
５１ａ，５１ｂ，５１ｃ，５１ｄ，５１ｅ，５１ｆ  コイル
５２ａ，５２ｂ，５２ｃ，５２ｄ，５２ｅ，５２ｆ  停留部材
６０  骨組的な管状部材
６２  壁
６４  セル
７４  正弦波部
７６  正のピーク
７８  負のピーク
８２  接合点
９０  血管
９２  動脈瘤
【図１】
2004154536.tif 000003
【図２】
2004154536.tif 000004
【図３】
2004154536.tif 000005
【図４】
2004154536.tif 000006
【外国語明細書】
2004154536.tif 000007
2004154536.tif 000008
2004154536.tif 000009
2004154536.tif 000010
2004154536.tif 000011
2004154536.tif 000012
2004154536.tif 000013
2004154536.tif 000014
2004154536.tif 000015
2004154536.tif 000016
2004154536.tif 000017
2004154536.tif 000018
2004154536.tif 000019
2004154536.tif 000020
2004154536.tif 000021
2004154536.tif 000022
2004154536.tif 000023
2004154536.tif 000024
2004154536.tif 000025
【図１】2004154536.tif 000026
【図２】2004154536.tif 000027
【図３】2004154536.tif 000028
【図４】2004154536.tif 000029